(57)【要約】【課題】高周波アブレーションシステムを提供すること。【解決手段】高周波アブレーションシステムは、単一の周波数のＲＦ信号発生器と、ＲＦ信号の複数の複製の位相及び振幅を設定するように構成された制御回路と、ＲＦ信号の複数の複製を増幅するように、かつ増幅された複製を用いて患者の身体内の複数のアブレーション電極のそれぞれを駆動するように構成されている複数の非線形増幅器と、を備える。プロセッサは、複数の複製の重ね合わせを、身体表面パッチ電極からの帰還信号として受信するように、かつ制御回路を用いて帰還信号に応じて、増幅された複製の位相及び振幅を適応的に調整してクロストーク電流をゼロ調整するように構成されている。組織接触チェック動作モードでは、増幅された複製の位相は同一であり、アブレーション動作モードでは、増幅された複製の位相は互いに異なる。【選択図】図１
2020108775.tif 000002
【特許請求の範囲】
【請求項１】
高周波（ＲＦ）アブレーションシステムであって、
所与の周波数を有するＲＦ信号を生成するように構成されている、信号発生器と、
前記信号発生器によって生成された前記ＲＦ信号の複数の複製の位相及び振幅を設定するように構成されている、制御回路と、
前記ＲＦ信号の前記複数の複製を増幅するように、かつ、前記増幅された複製を用いて患者の身体内の複数のアブレーション電極のそれぞれを駆動するように構成されている、複数の非線形増幅器と、
前記患者の身体に取り付けられたパッチ電極によって感知された前記複数の複製の重ね合わせを含む帰還信号を受信するように、かつ、組織接触チェック動作モードにおいて、前記増幅された複製の前記位相が同一であり、アブレーション動作モードにおいて、前記増幅された複製の前記位相が互いに異なるように前記制御回路を制御することによって、前記帰還信号に応答して、前記増幅された複製の位相及び振幅を適応的に調整するように構成されている、プロセッサと、を備える、システム。
【請求項２】
前記アブレーション動作モードにおいて、前記増幅された複製の前記位相は、互いに少なくとも３．６度異なっている、請求項１に記載のシステム。
【請求項３】
前記増幅器はＤ級増幅器を含む、請求項１に記載のシステム。
【請求項４】
前記増幅器によってそれぞれ増幅される前記複製を測定するように構成されている測定回路を更に備え、前記プロセッサは、前記アブレーション動作モードにおいて前記測定された複製に基づいて、前記複製の前記位相及び前記振幅を調整するように構成されている、請求項１に記載のシステム。
【請求項５】
前記複数の電極が取り付けられた前記患者の身体内に挿入されるように構成されているカテーテルを備える、請求項１に記載のシステム。
【請求項６】
前記カテーテルが、膨張可能なバルーン及び拡張可能なバスケットアセンブリのうちの一方を含む、請求項５に記載のシステム。
【請求項７】
前記組織接触モードにおいて接触した組織が肺静脈を含む、請求項１に記載のシステム。
【請求項８】
前記アブレーション動作モードにおいて、前記ＲＦ信号の電圧が２７Ｖ  ＲＭＳ〜４７Ｖ  ＲＭＳである、請求項１に記載のシステム。
【発明の詳細な説明】
【技術分野】
【０００１】
（優先権の主張）
本出願は、２０１８年１２月２８日出願の米国仮特許出願第６２／７８６，０３７号の利益を主張するものであり、その先行出願は、あたかも本明細書に漏れなく論述されているかのように、参照により本明細書に援用される。
【０００２】
（著作権表示）−本特許文献の開示の一部には、著作権保護の対象となる資料が含まれる。著作権者は、特許文献又は特許情報開示のうちの任意のものによる複製に対して、それが特許商標庁特許出願又は記録において明らかであるとき、異議を唱えないが、そうでなければ、たとえ何であっても全ての著作権を保有する。
【０００３】
（発明の分野）本発明は、身体における内部医療検査を行うことに関する。より具体的には、本発明は、診断及び治療のために、身体に又は身体からの非機械的形態のエネルギーを伝達するように適合されたカテーテルに関する。
【背景技術】
【０００４】
本明細書で使用される特定の頭字語及び略語の意味を表１に示す。
【０００５】
【表１】
2020108775.tif 000003
【０００６】
様々な既知の侵襲性医療器具設計は、複数の電極を使用して患者の組織に切除高周波数（ＲＦ）エネルギーを印加する。例えば、米国特許出願公開第２０１５／０２７２６５５号は、意図しない双極ＲＦエネルギーの送達から意図しない組織損傷を防止するためのシステム及び方法を記載している。システムは、マルチ電極アブレーション装置及びＲＦ送達ユニットを含み得る。ＲＦ送達ユニットは、単極エネルギーを複数の電極に伝送してもよく、エネルギーは同相であり、全ての電極は同じ電圧を送達し、同時に起動されて双極エネルギーを送達しない。追加的に又は代替的に、ＲＦ送達ユニットは、電極に双極エネルギーを伝送してもよい。ここで、隣接する電極の各対間の電圧差を監視してもよく、送達される双極エネルギーのレベルを計算することができる。各隣接する電極対内の少なくとも１つの電極に送達されるエネルギーの電圧は、送達された双極エネルギーの量が安全閾値を超える場合に調整されてもよい。
【０００７】
改良現在位置（ＡＣＬ）システムは、電極から患者の皮膚上のバックパッチへの交流電流を測定することによって、患者の身体内の電極の位置を見出す。現在、複数の電極を有するカテーテルの場合、電極に注入される電流は、区別され、所与の電極に固有であるように選択された周波数で電極に注入された交流を変調することによって別々に分析される。しかしながら、異なる交流は、Ａ級増幅器によって生成され、これらは非常に効率が悪い。ＡＣＬシステムを説明する文書は、米国特許第７，５３６，２１８号、同第７，７７５，５７６号、同第７，８４８，７８７号、同第７，８６９，８６５号、又は同第８，４５６，１８２号に示され、記載されており、これらの全てが参照により本出願に組み込まれる。
【発明の概要】
【課題を解決するための手段】
【０００８】
本発明の開示される実施形態によれば、マルチ電極アブレーションカテーテルは、２つの動作モードを有する。アブレーション電極と標的組織との間の接触を確認するための組織接触チェック動作モードでは、電極内の電流は全て、同じ位相及び共通周波数ωを有する。アブレーションモードでは、電極電流は共通周波数ωで変調されるが、電極を流れる電流の位相は、クロストーク電流を最小化するために個別に変動する。
【０００９】
本発明の実施形態によれば、高周波（ＲＦ）アブレーションシステムが提供され、高周波（ＲＦ）アブレーションシステムは、所与の周波数でＲＦ信号を生成するように構成されている信号発生器と、ＲＦ信号の複数の複製の位相及び振幅を設定するように構成されている制御回路と、ＲＦ信号の複数の複製を増幅するように、かつ増幅された複製を用いて患者の身体内の複数のアブレーション電極のそれぞれを駆動するように構成されている複数の非線形増幅器と、プロセッサと、を含む。プロセッサは、患者の身体に取り付けられたパッチ電極によって感知される帰還信号として、複数の複製の重ね合わせを受信するように、かつ制御回路を制御することによって帰還信号に応答して増幅された複製の位相及び振幅を適応的に調整するように構成されている。組織接触チェック動作モードでは、増幅された複製の位相は同一であり、アブレーション動作モードでは、増幅された複製の位相は互いに異なる。
【００１０】
アブレーション動作モードでは、増幅された複製の位相は、互いに少なくとも３．６度異なっている。
【００１１】
システムの一態様によれば、増幅器は、Ｄ級増幅器を含む。
【００１２】
システムの更に別の態様は、増幅器によってそれぞれ増幅される複製を測定するように構成されている測定回路を含み、プロセッサは、アブレーション動作モードで測定された複製に基づいて、複製の位相及び振幅を調整するように構成されている。
【００１３】
本発明の実施形態によれば、アブレーションの方法が更に提供され、その方法は、所与の周波数でＲＦ信号の複数の複製を生成することと、複数の複製の位相及び振幅を設定することと、ＲＦ信号の複数の複製を増幅することと、増幅された複製を用いて患者の身体内の複数のアブレーション電極のそれぞれを駆動することと、によって実行される。この方法は、パッチ電極を患者の身体に取り付けることと、パッチ電極によって感知された帰還信号として複数の複製の重ね合わせを受信することと、帰還信号に応答して増幅された複製の位相及び振幅を適応的に調整することと、によって、更に実行される。この方法は、組織接触チェック動作モードで更に実行され、増幅された複製の位相は同一であり、患者の身体内のアブレーション電極と標的組織との間に接触状態が存在することを帰還信号から決定し、アブレーション動作モードでは、増幅された複製の位相が互いに異なり、標的組織をアブレーション電極でアブレーションする。
【００１４】
本方法の別の態様によれば、アブレーション動作モードでは、増幅された複製の位相は、互いに少なくとも３．６度異なっている。
【００１５】
本方法の更なる態様によれば、増幅することは、Ｄ級増幅によって実行される。
【００１６】
本方法の更に別の態様によれば、複製の測定を更に実行し、その測定に応じてアブレーション動作モードで複製の位相及び振幅を調整することによってアブレーション電極間のクロストーク電流をゼロ調整する。
【図面の簡単な説明】
【００１７】
本発明をより深く理解するため、本発明の詳細な説明を実例として参照するが、この説明は以下の図面と併せて読むべきものである。図中、同様の要素には同様の参照数字を付してある。
【図１】本発明の一実施形態によるシステムの絵画図である。
【図２】本発明の一実施形態によるＡＣＬシステムのブロック図である。
【図３】本発明の一実施形態によるＡＣＬ回路の概略図である。
【図４】本発明の一実施形態によるＤ級増幅器を使用したカテーテルベースのアブレーションシステムの概略図である。
【図５】本発明の一実施形態による、図４に示すシステムの動作の特定の詳細を示す概略図である。
【図６】本発明の一実施形態による、図４に示すシステムの動作の２つのモードを示す一連の概要図である。
【図７】図６に示す動作モードのために構成されたシステム内に存在する抵抗を概略的に示す。
【図８】本発明の一実施形態によるアブレーションアルゴリズムの工程のフローチャートを示す。
【図９】本発明の一実施形態によるアブレーションアルゴリズムの工程のフローチャートを示す。
【発明を実施するための形態】
【００１８】
以下の説明では、本発明の様々な原理が十分に理解されるように、多くの具体的な詳細について記載する。しかしながら、これらの詳細の全てが本発明を実施する上で必ずしも必要であるとは限らない点は当業者には明らかであろう。この場合、一般的な概念を無用に分かりにくくすることのないよう、周知の回路、制御論理、並びに従来のアルゴリズム及びプロセスに対するコンピュータプログラム命令の詳細については、詳しく示していない。
【００１９】
以下の詳細な説明は、図面を参照しながら読まれるべきものであり、異なる図面における同様の要素には同一の番号が付けられている。図面は、必ずしも縮尺どおりとは限らず、所定の実施形態を示しており、本発明の範囲を限定するようには意図されていない。詳細な説明は、本発明の原理を限定ではなく一例として例証するものである。この説明により、当業者が本発明を作製し使用することが明確に可能になり、本発明を実施する最良の形態であると現時点において考えられるものを含む、本発明のいくつかの実施形態、適用例、変形例、代替例、及び使用が説明される。本明細書で任意の数値や数値の範囲について用いる「約」又は「およそ」という用語は、構成要素の部分又は構成要素の集合が、本明細書で述べるその意図された目的に沿って機能することを可能とする、適当な寸法の許容誤差を示すものである。より具体的には、「約」又は「およそ」は、列挙された値の±２０％の値の範囲を指し得、例えば、「約９０％」は、７１％〜９９％の値の範囲を指し得る。更に、本明細書で使用するとき、用語「患者」、「ホスト」、「ユーザー」、及び「被験者」は、任意のヒト又は動物被験体を指し、システム又は方法をヒトにおける使用に限定することを意図していないが、ヒト患者における本発明の使用は、好ましい実施形態を代表するものである。参照により本明細書に援用される文書は本出願の一体部分とみなされるべきであり、いずれかの用語が、それらの援用された文書内で、本明細書で明示的又は暗示的に行われる定義と相反するように定義される場合を除き、本明細書における定義のみが考慮されるべきである。
【００２０】
概論
次に図面を参照し、図１を最初に参照すると、この図は、開示される本発明の実施形態に従って構築され、動作する、生存被験体の心臓１２に対して診断的又は治療的手技を実施するためのシステム１０を絵で表したものである。このシステムは、患者の脈管系を通って心臓１２の腔又は脈管構造内に操作者１６によって経皮挿入されるカテーテル１４を備えている。通常は医師である操作者１６は、カテーテルの遠位先端１８を、心臓壁、例えば、アブレーション標的部位と接触させる。電気的活動マップは、米国特許第６，２２６，５４２号及び同第６，３０１，４９６号、並びに本願と同一譲受人に譲渡された米国特許第６，８９２，０９１号に開示される方法に従って作製されてもよく、この米国特許の開示内容は、あたかも本明細書に漏れなく論述されているかのように、参照により本明細書に援用される。
【００２１】
システム１０は、以下に説明する機能を実行するための好適なソフトウェアでプログラムされた汎用又は組込み型コンピュータプロセッサを備えることができる。したがって、システム１０の、本明細書の他の図に示されている部分は、いくつかの別個の機能ブロックを含むものとして示されているが、これらのブロックは必ずしも別個の物体ではなく、むしろ例えば、プロセッサが利用できるメモリに格納されている異なる計算タスク又はデータオブジェクトを表し得る。これらのタスクは、単一のプロセッサ又は複数のプロセッサで動作するソフトウェアで実行することができる。ソフトウェアは、１つ又は２つ以上のプロセッサに、ＣＤ−ＲＯＭ又は不揮発性メモリのような有形の非一時的媒体で提供され得る。あるいは、又は加えて、システム１０は、デジタル信号プロセッサ又は実配線ロジックを備えてもよい。システム１０の要素を具現化する１つの市販の製品は、Ｂｉｏｓｅｎｓｅ  Ｗｅｂｓｔｅｒ，Ｉｎｃ．（３３  Ｔｅｃｈｎｏｏｇｙ  Ｄｒｉｖｅ，Ｉｒｖｉｎｅ，ＣＡ，９２６１８）より入手可能な、ＣＡＲＴＯ（登録商標）３システムとして入手可能である。このシステムは、本明細書に説明される本発明の原理を具現化するように、当業者によって変更されてもよい。
【００２２】
例えば電気的活動マップの評価によって異常と判定された領域は、熱エネルギーの印加によって、例えば、心筋に高周波エネルギーを印加する、遠位先端１８の１つ又は２つ以上の電極に、高周波電流をカテーテル内のワイヤを介して流すことによって、アブレーションすることができる。エネルギーは組織に吸収され、電気的励起性が恒久的に失われる点（通常、５０℃超）まで加熱する。成功裏に行われた場合、この処置によって心臓組織に非伝導性の損傷部が形成され、この損傷部が、不整脈を引き起こす異常な電気経路を遮断する。本発明の原理は、異なる心腔に適用されて、多数の異なる心不整脈を診断及び治療することができる。
【００２３】
カテーテル１４は、典型的には、ハンドル２０を備えており、このハンドル上に好適な制御部を有して、操作者１６がアブレーションを行うためにカテーテルの遠位端の操舵、位置決め、及び方向付けを所望のとおりに行うことを可能にする。操作者１６を補助するために、カテーテル１４の遠位部分には、コンソール２４内に配置されたプロセッサ２２に信号を供給する位置センサ（図示せず）が収容されている。プロセッサ２２は、後述のようないくつかの処理機能を果たすことができる。
【００２４】
カテーテル１４は、マルチ電極カテーテルであり、これは、バルーン若しくはバスケットカテーテル、又は図１に示されているようなスパインカテーテルであり得る。いずれの場合にも、複数の電極３２が存在し、これらは、感知電極として使用され、バスケット又はスパイン上の既知の位置、及びそれらの既知の相互関係を有する。このため、カテーテルが心臓内に配置されると、例えば、現在位置マップを構築することにより、心臓内の電極３２の各々の位置が分かる。現在位置マップを生成するための１つの方法は、あたかも本明細書に漏れなく論述されているかのように、参照により本明細書に援用される、本願と同一譲受人に譲渡された、Ｂａｒ−Ｔａｌらに対する米国特許第８，４７８，３８３号に記載されている。
【００２５】
電気信号は、カテーテル１４の遠位先端１８に又は遠位先端１８近くに配置された電極３２からケーブル３４を介して心臓１２へと、かつ心臓１２からコンソール２４へと伝達され得る。ペーシング信号及び他の制御信号は、コンソール２４から、ケーブル３４及び電極３２を介して、心臓１２へと伝達され得る。
【００２６】
ワイヤ接続部３５は、コンソール２４を、有効電流位置（ＡＣＬ）パッチ３０、並びにカテーテル１４の位置座標及び方向座標を測定するための位置決めサブシステムの他の構成要素と連結する。プロセッサ２２又は別のプロセッサ（図示せず）は、位置決めサブシステムの要素であってもよい。あたかも本明細書に漏れなく論述されているかのように、参照により本明細書に援用される、Ｇｏｖａｒｉらに付与された米国特許第７，５３６，２１８号において教示されているように、電極３２及び身体表面パッチ３０を使用して、アブレーション部位における組織インピーダンスを測定してもよい。温度センサ（図示せず）、通常、熱電対又はサーミスタが、カテーテル１４の遠位先端１８近くに搭載されてもよい。
【００２７】
コンソール２４には、典型的には、１つ以上のアブレーション発電機２５が収容されている。カテーテル１４は、例えば、高周波エネルギー、超音波エネルギー、及びレーザー生成光エネルギー等の任意の既知のアブレーション技術を使用して、心臓にアブレーションエネルギーを伝えるように適合され得る。かかる方法は、あたかも本明細書に漏れなく論述されているかのように、参照により本明細書に援用される、本願と同一譲受人に譲渡された米国特許第６，８１４，７３３号、同第６，９９７，９２４号、及び同第７，１５６，８１６号に開示されている。
【００２８】
一実施形態では、位置決めサブシステムは、磁場生成コイル２８を使用して、所定の作業体積内に磁場を生成し、カテーテルにおけるこれらの磁場を検知することによって、カテーテル１４の位置及び向きを判定する磁気位置追跡配置を備える。好適な位置決めサブシステムは、あたかも本明細書に漏れなく論述されているかのように、参照により本明細書に援用される、米国特許第７，７５６，５７６号、及び上記の同第７，５３６，２１８号に記載されている。
【００２９】
上述のように、カテーテル１４は、コンソール２４に連結されており、これにより操作者１６は、カテーテル１４を観察し、その機能を調節することができる。コンソール２４は、プロセッサ、好ましくは、適切な信号処理回路を有するコンピュータを含む。プロセッサは、モニタ２９を駆動するように連結される。信号処理回路は、通常、カテーテル１４内の遠位に位置する上述のセンサ及び複数の位置検知電極（図示せず）によって生成される信号を含むカテーテル１４からの信号を、受信、増幅、フィルタリング、及びデジタル化する。デジタル化された信号は、コンソール２４及び位置決めシステムによって受信され、カテーテル１４の位置及び向きを計算し、かつ以下に更に詳細に記載される電極からの電気信号を分析するために使用される。
【００３０】
簡略化のために図示されないが、典型的には、システム１０は、他の要素を含む。例えば、システム１０は、心電図（ＥＣＧ）モニタを含み得るが、このＥＣＧモニタは、ＥＣＧ同期信号をコンソール２４に供給するために、１つ又は２つ以上の体表面電極から信号を受信するように連結される。上述のように、システム１０は、通常、被験者の身体の外側に取り付けられた外側取付参照パッチ上、又は、心臓１２内に挿入され、かつ心臓１２に対して固定位置に維持された、内側に配置されたカテーテル上のいずれかに、基準位置センサも含む。システム１０は、ＭＲＩユニットなどのような外部の画像診断モダリティからの画像データを受信することができ、画像を生成及び表示するためにプロセッサ２２に組み込まれる又はプロセッサ２２によって呼び出されることができる画像プロセッサを含む。電気的結合は、Ｄ．Ｃｕｒｔｉｓ  Ｄｅｎｏ＊，Ｍｅｍｂｅｒ，ＩＥＥＥ，Ｈａｒｉｓ  Ｊ．Ｓｉｈ，Ｓｔｅｐｈａｎ  Ｐ．Ｍｉｌｌｅｒ，Ｌｉａｎｅ  Ｒ．Ｔｅｐｌｉｔｓｋｙ，及びＲｕｓｓ  Ｋｕｅｎｚｉによる「Ｍｅａｓｕｒｅｍｅｎｔ  ｏｆ  Ｅｌｅｃｔｒｉｃａｌ  Ｃｏｕｐｌｉｎｇ  Ｂｅｔｗｅｅｎ  Ｃａｒｄｉａｃ  Ａｂｌａｔｉｏｎ  Ｃａｔｈｅｔｅｒｓ  ａｎｄ  Ｔｉｓｓｕｅ」，ＩＥＥＥ  ＴＲＡＮＳＡＣＴＩＯＮＳ  ＯＮ  ＢＩＯＭＥＤＩＣＡＬ  ＥＮＧＩＮＥＥＲＩＮＧ，ＶＯＬ．６１，ＮＯ．３，ＭＡＲＣＨ  ２０１４に記載され、ヒトにおけるインピーダンス範囲は、Ｍａｒｋ  Ｂｏｒｇａｎｅｌｌｉ，ＭＤ，Ｒａｆｅｌ  Ｅｌ−Ａｔａｓｓｉ，ＭＤ，Ａｎｇｅｌ  Ｌｅｏｎ，ＭＤ，Ｓｔｅｖｅｎ  Ｊ．Ｋａｌｂｆｌｅｉｓｃｈ，ＭＤ，Ｈｕｇｈ  Ｃａｌｋｉｎｓ，ＭＤ，Ｆｒｅｄ  Ｍｏｒａｄｙ，ＭＤ，及びＪｏｎａｔｈａｎ  Ｊ．Ｌａｎｇｂｅｒｇ，ＭＤによる「Ｄｅｔｅｒｍｉｎａｎｔｓ  ｏｆ  ｉｍｐｅｄａｎｃｅ  Ｄｕｒｉｎｇ  Ｒａｄｉｏｆｒｅｑｕｅｎｃｙ  Ｃａｔｈｅｔｅｒ  Ａｂｌａｔｉｏｎ  ｉｎ  Ｈｕｍａｎｓ」；Ｄｅｐａｒｔｍｅｎｔ  ｏｆ  Ｉｎｔｅｒｎａｌ  Ｍｅｄｉｃｉｎｅ，Ｄｉｖｉｓｉｏｎ  ｏｆ  Ｃａｒｄｉｏｌｏｇｙ，Ｕｎｉｖｅｒｓｉｔｙ  ｏｆ  Ｍｉｃｈｉｇａｎ  Ｍｅｄｉｃａｌ  Ｃｅｎｔｅｒ，１５００  Ｅ．Ｍｅｄｉｃａｌ  Ｃｅｎｔｅｒ  Ｄｒｉｖｅ，Ｂｌ  Ｆ２４５，Ａｎｎ  Ａｒｂｏｒ，Ｍｉｃｈｉｇａｎ  ４８１０９−００２２，Ｄｅｃ．１９９１に記載され、インピーダンス制御アブレーションのモデリングは、「Ｔｈｅｏｒｅｔｉｃａｌ  ｍｏｄｅｌｉｎｇ  ｆｏｒ  ｒａｄｉｏｆｒｅｑｕｅｎｃｙ  ａｂｌａｔｉｏｎ：ｓｔａｔｅ−ｏｆ−ｔｈｅ−ａｒｔ  ａｎｄ  ｃｈａｌｌｅｎｇｅｓ  ｆｏｒ  ｔｈｅ  ｆｕｔｕｒｅ」Ｅｎｒｉｑｕｅ  Ｊ  Ｂｅｒｊａｎｏ，１８  Ａｐｒｉｌ  ２００６  ＢｉｏＭｅｄｉｃａｌ  Ｅｎｇｉｎｅｅｒｉｎｇ  ＯｎＬｉｎｅ２００６に記載されており、それらの全ては、あたかも本明細書に漏れなく論述されているかのように、参照により援用される。
【００３１】
ＡＣＬシステム。
ＡＣＬシステムは、本発明の原理が適用され得る一実施形態である。ＡＣＬシステムの簡単な説明は、便宜上、本明細書に提示される。更なる詳細は、あたかも本明細書に漏れなく論述されているかのように、参照により本明細書に援用される、２０１７年８月２１日付の「Ａｄｖａｎｃｅｄ  Ｃｕｒｒｅｎｔ  Ｌｏｃａｔｉｏｎ（ＡＣＬ）Ａｕｔｏｍａｔｉｃ  Ｍａｐ  Ｒｏｔａｔｉｏｎ  ｔｏ  Ｄｅｔｅｃｔ  Ｈｏｌｅｓ  ｉｎ  Ｃｕｒｒｅｎｔ  Ｐｏｓｉｔｉｏｎ  Ｍａｐ（ＣＰＭ）Ｍａｐｐｉｎｇ」と題する、本願と同一譲受人に譲渡された出願番号第１５／６８１，４７４号（代理人整理番号ＢＩＯ５８４４ＵＳＮＰ）に見出される。
【００３２】
次に、本発明の一実施形態によるＡＣＬシステム１３０のブロック図である図２を参照する。システム１３０を操作するために、操作者はまず、較正段階でシステムを操作し、その後、システムが追跡段階で操作される。２つの段階で実行されるアクションの詳細は、上述の出願番号第１５／６８１，４７４号に記載されている。
【００３３】
次に、図１に示されるシステムと共に使用するためのアブレーション及び有効現在位置（ＡＣＬ）回路１３４の概略図である、図３を参照する。この構成は、あたかも本明細書に漏れなく論述されているかのように、参照により本明細書に援用される、Ｇｏｖａｒｉらによる米国特許出願公開第２００６／０１７３２５１号、及びＯｓａｄｃｈｙによる米国特許出願公開第２００７／００３８０７８号に記載されているものと同様である。構成は、本発明の原理に従って動作するように変更され得る。説明の便宜上、以下に簡潔に記載する。
【００３４】
接着皮膚用パッチであり得る、身体表面の複数の電極１３６は、被験者１４０の身体表面１３８（例えば、皮膚）に結合される。身体表面の電極１３６は、本明細書で「パッチ」と称されることがある。心臓用途では、身体表面の電極１３６は、通常、心臓を取り囲むように、３つが被験者の胸に、３つが背中に割り振られる。しかしながら、身体表面の電極１３６の数は重要ではなく、それらは医療処置部位付近全体の、身体表面１３８上の便利な位置に定置してよい。
【００３５】
通常、コンソール２４（図１）内に配置される制御ユニット１４２は、電流測定回路１４４、及び後述のように単一の周波数で電極１３６のうちの１つ又は２つ以上を通して身体表面の電極１３６のうちの１つ又は２つ以上に電流を駆動するための、１つ又は２つ以上のカテーテル電極伝送器１４６を含む。制御ユニット１４２は、位置決めプロセッサに連結される。制御ユニット１４２は、少なくとも１つのアブレーション発生器１５０を備えるアブレータ１４８に連結される。身体表面の電極１３６及びアブレータ本体表面の電極１５２を通る電流は、アブレーション発生器１５０を有する回路内を流れ、本明細書では「パッチ測定回路」と称されることもある、身体電極受信器１５４内に配置されるそれぞれの電流測定回路によって測定される。身体電極受信器１５４は、通常、制御ユニット１４２に組み込まれる。あるいは、それらは、身体表面の電極１３６に貼り付けられてもよい。カテーテル電極は、測定電極１５６（円）及び二重目的用電極１５８（楕円）として図４に表される。二重目的用電極１５８はアブレーション電極として機能し、また測定電極の１つとしての役割も果たす。
【００３６】
身体表面の電極１３６は、アブレーション及び除細動電流からシステムを保護するパッチボックス１６０を介して身体電極受信器１５４に接続される。典型的には、システムは、６つの身体電極受信器１５４を備えて構成される。パッチボックスの寄生インピーダンス１６２（Ｚ）は、製造中に測定されるため、事前に知られている。これらのインピーダンスについて以下で論じる。
【００３７】
典型的には、便宜上２つの測定電極１５６のみが示されているが、約８０個の測定電極がインピーダンス測定に用いられる。典型的には、１つ又は２つのアブレーション電極が存在する。身体内部のカテーテルの座標は、カテーテル上の電極と身体表面の電極１３６との間に電流を通すことにより、位置決めシステムで判定される。
【００３８】
制御ユニット１４２はまた、アブレータ１４８を有するアブレーション回路、及び二重目的用電極１５８を制御し得る。アブレータ１４８は、通常、制御ユニット１４２の外部に配置され、アブレーション発生器１５０を内蔵する。アブレーション発生器１５０は、アブレータ本体表面の電極１５２、及びこの例では制御ユニット１４２内に示される、アブレータフィルタ１６４と接続している。ただし、この位置は、必須ではない。スイッチ１６６は、以下に記載される様々な動作モードのためのアブレータ回路を構成する。電圧測定回路が、カテーテル電極伝送器１４６の出力を決定するために提供される。図４の検査から、アブレーション回路が、カテーテル電極伝送器１４６のうちの１つに接続されていることが分かるであろう。
【００３９】
複数のアブレーション電極用の単一周波数発生器。
図４は、本発明の一実施形態による、Ｄ級増幅器２５４を使用したカテーテルベースのアブレーションシステム２２０の概略図である。物理的に、図示されるように、カテーテルの遠位端２２２には、複数の電極２５９を備えるＲＦアブレーション装置が装備され、増幅器２５４の出力は、カテーテルを通る配線によって電極２５９にそれぞれ結合され、この電極は、カテーテルの近位端で連結されて制御ユニット２５０を備える制御コンソールに連結される。
【００４０】
カテーテルの遠位端は、明確にするためにのみ電極の線形アレイとして示される。実際には、遠位端は、典型的には、問題のアブレーション処置に好適なマルチ電極ジオメトリを含む。例示的な構成は、肺静脈のアブレーションを行うために使用される膨張可能なバルーン又は拡張可能なバスケットアセンブリである。
【００４１】
本実施例では、制御ユニット２５０は、電極２５９の数に等しい数のＤ級増幅器を並列に制御する。Ｄ級増幅器のそれぞれは、移相器２５２及び増幅器２５４を含む。制御ユニット２５０は、増幅器２５４を駆動するためのＲＦ信号２４７の複製信号（又は「複製」）２４８に分割された共通ＲＦ信号２４７を生成する共通信号発生器２４６を備える。制御ユニット２５０は、各移相器２５２に、それぞれの位相を増幅器２５４の入力電流波形に割り当てるように別々に命令し、入力電流波形は、次に増幅されて、関連電極２５９を介して患者の身体２４９内に注入された出力電流２５５になるように増幅される。
【００４２】
図に見られるように、結果として生じるアブレーション電流２６６は、アブレーションされた組織２６４を通って局所的に流れ、次いで患者の身体２４９を通って流れ、共通のバックパッチ電極２６２によって収集される。しかしながら、任意の２つの電極間の組織の有限抵抗は、例えば、結合抵抗２５８によって示されるように、血管のアブレーションの場合には血液を通じて、注入電流２５５の一部に、クロストーク電流２５７の形態で１つの電極から別の電極への経路を取らせることができる。
【００４３】
制御ユニット２５０は、リターン電流２６８を分析し、その測定された瞬間振幅及び位相に基づいて、場合によっては計算に必要な他の入力間で、注入されたアブレーション電流２６６のそれぞれの実際の電流振幅を決定する分析器２６０を備える。最適化アルゴリズムで実施される要件及び計算工程に基づいて、分析器は、電流２５５のうちの１つ又は２つ以上の振幅若しくは位相又は両方を調整して、特定の要件に従って電流２５５の振幅及び位相又は両方を最適化し、その一部が以下に詳述される。制御ユニット２５０は、最適化された振幅及び位相をリアルタイムで受信し、移相器２５２若しくは増幅器２５４又は両方にリアルタイムで、注入された電流２５５の位相及び振幅の少なくとも一部を応答的に修正するように命令する。一実装形態では、最適化アルゴリズムは、リアルタイムでクロストーク電流２５７を調整するために、瞬時に測定された増幅器２５４の出力電圧及び電流を利用することができる。例えば、アルゴリズムは、クロストーク電流２５７をゼロにするために、「電流行列」を対角行列に変えることができる。追加的に又は代替的に、バックパッチ電極２６２の測定された瞬間振幅及び位相を組み込むものなどの、所与の制約及び／又はコスト関数を利用して、他の最適化アルゴリズムを適用してもよい。
【００４４】
図５は、本発明の一実施形態による、システム２２０の動作の特定の詳細を示す概略図である。図に見られるように、インセット２６９の波形は、一般に、振幅２７１及び位相２７３の異なる値を含む。電圧及び電流センサ２５６は、増幅器出力電圧及び電流を測定し、分析器２６０は、リターン電流２６８の瞬時振幅及び位相を測定し、特に、実際の電極出力電圧及び電流を抽出するために、この情報を使用する。したがって、図５の構成は、電極２５９のそれぞれ及び電極２５９のうちの１つの電流２５５、２６６における様々な電流振幅を隔離及び測定し、クロストーク電流２５７を推定する。
【００４５】
クロストーク電流２５７は、アブレーションプロセス中に、電極２５９の一部又は全部に類似の、又は実質的に同一の電圧をリアルタイムで印加することによって、低減され、更に相殺され得る。この設定は、同一の周波数ωで全ての電極の電流を変調し、インセット２６９に見られるように、電流２５５の個々の振幅及び位相をリアルタイムで選択することによって達成される。したがって、任意の２つの電極間の電圧差（すなわち、抵抗２５８を超える）が常に最小に保たれると、任意の２つの電極間のクロストーク電流が低減され、特定の場合では互いに相殺さえされる。
【００４６】
上述したように、常時変動するクロストーク電流、又は更にはそれらの相殺のかかる最小化を実際に達成するために、リターン電流２６８は、振幅及び位相選択が十分に高い速度及び十分に短い応答時間で発生するように、十分に高い速度で分析器２６０によって分析されるべきである。電流の分析修正のこの閉ループ適合は、例えば、ｋＨＺ〜ＭＨｚスペクトルの周波数範囲で動作する移相器及びＤ級増幅器などの、適切な電子回路及び非線形増幅器を使用することによって達成することができる。
【００４７】
システム２２０の構成及び動作に関する更なる詳細は、あたかも本明細書に漏れなく論述されているかのように参照により本明細書に援用される、２０１７年９月７日に出願された、本発明の譲受人に譲渡された同時係属出願第１５／６９７，８１１，号（代理人整理番号ＢＩＯ５８６５ＵＳＮＰ）表題「Ｖａｒｉａｂｌｅ  Ｐｈａｓｅ  Ｇｅｎｅｒａｔｉｏｎ  Ａｎｄ  Ｄｅｔｅｃｔｉｏｎ  Ｆｏｒ  Ｒａｄｉｏ−Ｆｒｅｑｕｅｎｃｙ（ＲＦ）Ａｂｌａｔｉｏｎ」に開示されている。
【００４８】
位相調整。
アブレーションが有効であるために、電極２５９（図４）はアブレーションされている身体組織と接触しなければならない。接触を検出する１つの方法は、図２及び図３に記載される回路を使用して、接触におけるインピーダンスの変化を観察することによるものである。しかしながら、任意の所与の電極に対するインピーダンスの変化は小さいが、あたかも本明細書に漏れなく論述されているかのように参照により本明細書に援用される、本願と同一譲受人に譲渡された米国特許第９，１６８，００４号（Ｇｏｖａｒｉら）、表題「Ｍａｃｈｉｎｅ  Ｌｅａｒｎｉｎｇ  ｉｎ  Ｄｅｔｅｒｍｉｎｉｎｇ  Ｃａｔｈｅｔｅｒ  Ｅｌｅｃｔｒｏｄｅ  Ｃｏｎｔａｃｔ」に記載されている方法を使用して感度を改善することができる。
【００４９】
本発明者らは、組織接触チェック動作モードを介してアブレーション部位との電極接触を確実に判定する技術を考案した。この技術では、共通周波数ωにおける電極電流の位相は概ね同一である。図６は、例示的なシステム２２０（図４）の２つの動作モードを示す一連の概要図である。多相単一周波数発生器２７５は、それぞれのカテーテル電極２７９を通って流れ、そこから身体組織２８１及び戻り電極２８３を通って流れる出力電流２７７を生成する。アブレーション動作モードでは、図６の上部の略図２８５に示すように、出力電流２７７及び電極２７９内の電流は、異なる位相φ１〜φｎを有する。任意の２つの電極間の位相差は、周期の少なくとも１／１００、例えば、約３．６°であるべきである。
【００５０】
図の下部の略図２８７は、組織接触チェック動作モードを示す。単一周波数発生器２７５によって生成される出力電流２７７及び電極２７９内の電流は全て、同じ位相φ１を有する。各電極への供給が異なる位相を有する場合、発生器２７５は、比較的低い電圧で動作することができる。身体のインピーダンスに応じて、アブレーションの電圧は、約２７Ｖ  ＲＭＳ（組織インピーダンスが約５０オームの場合）〜３９Ｖ  ＲＭＳ（組織インピーダンスが約１００オームの場合）まで及び４７Ｖ  ＲＭＳ（組織インピーダンスが約１５０オームである場合）までとすることができる。しかしながら、組織接触チェックの場合、身体組織インピーダンスに打ち勝つために、大きな電圧が必要とされる。したがって、組織接触チェック動作モードは、アブレーションのためには非実用的である。
【００５１】
それにもかかわらず、本発明者らは、アブレーションに使用される同じ電極が同じアブレーション処置中に十分な組織接触を判定することを可能にするために、身体インピーダンスのこの挙動を利用する技術を考案した。具体的には、図７は、略図２８７（図５）に従って構成されたシステム内に存在する抵抗を概略的に示す。ｎ個の電極２７９のそれぞれは、抵抗２８９（ｒ）を示し、戻り電極２８３に単一の共通抵抗２９１（Ｒ）が存在する。単純化のために、電流Ｉがｎ個の電極２７９のそれぞれを流れると仮定すると、電流が同相であるため、共通抵抗２９１  Ｒを通る電流はｎＩである。したがって、任意の電極２７９について発生器によって見られる電圧は、以下のとおりである。
Ｖ＝Ｉｒ＋ｎＩＲ。
【００５２】
電圧Ｖは、効果的にほぼ、異相の場合よりも高いｎの因数であり、一般的な位相状態がアブレーションに使用されるべきではない理由である。しかし、組織接触チェック構成における比較的大きな電圧は、組織接触に生じるインピーダンスの小さい変化が、測定された電圧の変化を効果的に増幅することを意味し、したがって、図６に示す組織接触チェック構成は、標的組織とアブレーション電極２７９との間の接触を測定する良好な方法であることを意味する。
【００５３】
本明細書で提供される開示の長所により、本発明者らは、ｎ個のアブレーション電極と十分に接触している組織をアブレーションする以下の方法を考案した。この方法は、アブレーション電極（複数可）と接触している組織をアブレーションする意図された目的で使用するために好適なコンピュータプラットフォーム内に好適なソフトウェアコードを生成するために、当業者によって利用され得る、図８に示されるアブレーションアルゴリズム３００を参照することによって達成することができる。アルゴリズム３００は、システム１３４用に考案された多くのアルゴリズムのうちの１つであり得、簡潔にするために、アルゴリズム３００を補助する任意の他のアルゴリズムについて説明しないことに留意されたい。
【００５４】
図８では、アルゴリズム３００は、工程３０２において所与の周波数でＲＦ信号の複数の複製を生成するようにプログラムされたシステム１３４を用いて開始する。工程３０４において、ｎ個のアブレーション電極について複製の位相及び振幅が設定される。工程３０６において、システムは、複数の複製を増幅し、増幅された複製を用いて患者の身体内の複数のｎ個のアブレーション電極のそれぞれに通電又はそれらを駆動するようにプログラムされる。工程３０８において、システム１３４は、複製の重ね合わせを含み得るパッチ電極２６２から帰還信号を受信するようにプログラムされる。工程３１０において、システム１３４は、ｎ個のアブレーション電極に注入された電流の複製を同相であるように調整するようにプログラムされる。工程３１２において、システム１３４は、組織が電極（複数可）と接触しているかどうかを判定するようにプログラムされる。工程３１０及び３１２は、図９のサブルーチン４００として更に説明される。
【００５５】
図９を参照すると、当業者は、組織接触判定の詳細を理解して好適なコンピュータコードを生成することができる。一般に、各電極２７９に注入される同相電流が、アブレーションモードで必要とされる典型的なアブレーション電圧（所与の組織インピーダンスの量に対して）よりも約３〜１０％以上の（電圧及び電流センサ２５６によって測定されるような）電圧増加を必要とする場合に、組織との接触を検出することができる。したがって、本発明者らは、工程４０２において、レベルを増加して電圧を印加しながら、ｎ個の電極２７９に注入された電流又は複製を同相に切り替え、工程４０４において、分析器２６０で電圧及び電流を測定することによって、アブレーション処置中に十分な組織接触をチェックすることを可能にする技術を考案した。工程４０６において、ゼロベース値の形態で変化がない場合、システムアルゴリズムは「いいえ」を返し、電極が身体組織と十分に接触していないと判定する。システムは、工程４０４に戻る前に、工程４０８で電極（複数可）に接触していないというフラグを立てることができる。他方では、工程４０６において「はい」を戻すシステムから、組織接触が確認されると（すなわち、注入されている同相電流（すなわち、複製の）が、ゼロベース値に対する変化を必要とする場合）、コントローラは、工程４１０で電極（複数可）に接触しているというフラグを立てることができる。その後、サブルーチン４００は、アブレーションアルゴリズム３００（図８）に戻り、組織のアブレーションを継続する（この組織は、ここで電極（複数可）と十分に接触している）ために工程３１６でｎ個の電極を異相に切り替えるか又は変化させる。接触チェック（すなわち、同相電極２７９への切り替え）と工程３１６の組織アブレーション（図８、異相電極２７９への変化）との間のかかる動作（工程４０２、４０４及び４０６）は、毎秒多数回の非常に速い速度で生じ、典型的には約５０Ｈｚで切り替わることが意図される。ｎ個の電極の数は、約２〜約１９２の任意の数であり得る。
【００５６】
本発明が、本明細書上に具体的に示されて記載されたものに限定されない点が、当業者により理解されよう。むしろ、本発明の範囲は、上述の様々な特徴の組み合わせ及び部分的組み合わせ、並びに上記の説明を読むことで当業者には想到されるであろう、先行技術にはない上述の特徴の変形例及び改変例をも含むものである。
【００５７】
〔実施の態様〕
（１）  高周波（ＲＦ）アブレーションシステムであって、
所与の周波数を有するＲＦ信号を生成するように構成されている、信号発生器と、
前記信号発生器によって生成された前記ＲＦ信号の複数の複製の位相及び振幅を設定するように構成されている、制御回路と、
前記ＲＦ信号の前記複数の複製を増幅するように、かつ、前記増幅された複製を用いて患者の身体内の複数のアブレーション電極のそれぞれを駆動するように構成されている、複数の非線形増幅器と、
前記患者の身体に取り付けられたパッチ電極によって感知された前記複数の複製の重ね合わせを含む帰還信号を受信するように、かつ、組織接触チェック動作モードにおいて、前記増幅された複製の前記位相が同一であり、アブレーション動作モードにおいて、前記増幅された複製の前記位相が互いに異なるように前記制御回路を制御することによって、前記帰還信号に応答して、前記増幅された複製の位相及び振幅を適応的に調整するように構成されている、プロセッサと、を備える、システム。
（２）  前記アブレーション動作モードにおいて、前記増幅された複製の前記位相は、互いに少なくとも３．６度異なっている、実施態様１に記載のシステム。
（３）  前記増幅器はＤ級増幅器を含む、実施態様１に記載のシステム。
（４）  前記増幅器によってそれぞれ増幅される前記複製を測定するように構成されている測定回路を更に備え、前記プロセッサは、前記アブレーション動作モードにおいて前記測定された複製に基づいて、前記複製の前記位相及び前記振幅を調整するように構成されている、実施態様１に記載のシステム。
（５）  前記複数の電極が取り付けられた前記患者の身体内に挿入されるように構成されているカテーテルを備える、実施態様１に記載のシステム。
【００５８】
（６）  前記カテーテルが、膨張可能なバルーン及び拡張可能なバスケットアセンブリのうちの一方を含む、実施態様５に記載のシステム。
（７）  前記組織接触モードにおいて接触した組織が肺静脈を含む、実施態様１に記載のシステム。
（８）  前記アブレーション動作モードにおいて、前記ＲＦ信号の電圧が２７Ｖ  ＲＭＳ〜４７Ｖ  ＲＭＳである、実施態様１に記載のシステム。
（９）  アブレーションの方法であって、
所与の周波数を有するＲＦ信号の複数の複製を生成する工程と、
前記複数の複製の位相及び振幅を設定する工程と、
前記ＲＦ信号の前記複数の複製を増幅し、前記増幅された複製を用いて、患者の身体内の複数のアブレーション電極のそれぞれを駆動する工程と、
前記パッチ電極によって感知された前記複数の複製の重ね合わせを含む帰還信号を受信する工程と、
前記増幅された複製の前記位相を同相に調整する工程と、
前記帰還信号から、前記アブレーション電極と前記患者の標的組織との間に接触状態が存在すると判定する工程と、
前記増幅された複製の前記位相が互いに異なるアブレーション動作モードにおいて、前記標的組織を前記アブレーション電極でアブレーションする工程と、を含む、方法。
（１０）  前記アブレーション動作モードにおいて、前記増幅された複製の前記位相は、互いに少なくとも３．６度異なっている、実施態様９に記載の方法。
【００５９】
（１１）  増幅する工程は、Ｄ級増幅によって実行される、実施態様９に記載の方法。
（１２）  前記複製の測定を更に行い、
前記測定に応じて、前記アブレーション動作モードで前記複製の前記位相及び前記振幅を調整することによって、前記アブレーション電極間のクロストーク電流をゼロ調整する、実施態様９に記載の方法。
（１３）  前記判定する工程が、
前記ｎ個のアブレーション電極に注入された電流の前記複製を、レベルを増加して電圧を印加しながら同相に切り替え、分析器を用いて電流の前記複製を測定することと、
各電極に注入された電流の前記同相複製がゼロベース値よりも大きい電圧増加を必要とするときに、組織が接触しているかどうかをチェックすることと、を含む、実施態様９に記載の方法。
（１４）  前記複数の電極を、前記患者の身体内に挿入されるように構成されているカテーテルに取り付けることを含む、実施態様９に記載の方法。
（１５）  前記組織接触モードにおいて接触した組織が肺静脈を含む、実施態様９に記載の方法。
【００６０】
（１６）  前記アブレーション動作モードにおいて、前記ＲＦ信号の電圧が２７Ｖ  ＲＭＳ〜４７Ｖ  ＲＭＳである、実施態様９に記載の方法。
（１７）  システムにおいて組織をアブレーションする方法であって、前記システムが、制御回路に結合されたＲＦ信号を生成するように構成されている信号発生器であって、前記制御回路が、複数の非線形増幅器を用いて、前記信号発生器によって生成された前記ＲＦ信号の複数の複製の位相及び振幅を設定して、前記ＲＦ信号の前記複数の複製を増幅し、前記増幅された複製を用いて患者の身体内の複数のｎ個のアブレーション電極のそれぞれを駆動するように構成されている、信号発生器と、プロセッサであって、前記患者の身体に取り付けられたパッチ電極によって感知された前記複数の複製の重ね合わせを含む帰還信号を受信するように構成されている、プロセッサと、を有し、前記方法が、
前記ｎ個のアブレーション電極に注入された電流の前記複製を、レベルを増加して電圧を印加しながら同相に切り替え、分析器を用いて電流の前記複製を測定する工程と、
各電極に注入された電流の前記同相複製がゼロベース値よりも大きい電圧の変化を必要とするときに、組織が接触しているかどうかをチェックする工程と、
前記ｎ個の電極を異相に変化させて、前記組織のアブレーションを継続する工程と、を含む、方法。
（１８）  前記ｎ個の電極を同相に切り替える工程、及び前記ｎ個の電極を異相に変化させる工程が、毎秒多数回の速度で行われる、実施態様１７に記載の方法。
（１９）  前記速度が５０Ｈｚの速度を含む、実施態様１８に記載の方法。
（２０）  前記ｎ個の電極が、２〜１９２の任意の数の電極を含む、実施態様１７に記載の方法。
【図１】
2020108775.tif 000004
【図２】
2020108775.tif 000005
【図３】
2020108775.tif 000006
【図４】
2020108775.tif 000007
【図５】
2020108775.tif 000008
【図６】
2020108775.tif 000009
【図７】
2020108775.tif 000010
【図８】
2020108775.tif 000011
【図９】
2020108775.tif 000012
【外国語明細書】
2020108775000001.pdf